(57)【要約】【課題】、コントローラーを容易に取り外すことが可能な電動シャッターを提供する。【解決手段】シャッターカーテンが巻き付けられる巻付軸と、前記巻付軸を駆動するモーターと、前記モーターを制御して前記シャッターカーテンを昇降させるためコントローラーと、を有し、前記コントローラーは、前記巻付軸の軸方向において巻き上げられた前記シャッターカーテンの側方に位置し、前記巻付軸に沿う方向から見たときに、前記巻付軸の外周上の第１点と、前記巻付軸の中心に対して対称の位置にある外周上の第２点における接線にて挟まれた領域が前記第１点と前記第２点とを結ぶ直線にて分割された２つの領域のうちの一方の領域を除く前記巻付軸より外側の領域に配置されている。【選択図】図８
2010196358.tif 000002
【特許請求の範囲】
【請求項１】
シャッターカーテンが巻き付けられる巻付軸と、
前記巻付軸を駆動するモーターと、
前記モーターを制御して前記シャッターカーテンを昇降させるためコントローラーと、を有し、
前記コントローラーは、前記巻付軸の軸方向において、巻き上げられた前記シャッターカーテンの側方に位置し、
前記巻付軸に沿う方向から見たときに、前記巻付軸の外周上の第１点と、前記巻付軸の中心に対して対称の位置にある外周上の第２点における接線にて挟まれた領域が前記第１点と前記第２点とを結ぶ直線にて分割された２つの領域のうちの一方の領域を除く前記巻付軸より外側の領域に配置されていることを特徴とする電動シャッター。
【請求項２】
請求項１に記載の電動シャッターであって、
前記モーターは、前記巻付軸に収容されており、
前記コントローラーは、前記モーターの外周側に配置されていることを特徴とする電動シャッター。
【請求項３】
請求項１または請求項２に記載の電動シャッターであって、
前記コントローラーは、当該コントローラーと前記シャッターカーテンとを隔離するためのカバー部材に収容されるとともに当該カバー部材に取り付けられていることを特徴とする電動シャッター。
【請求項４】
請求項３に記載の電動シャッターであって、
前記コントローラーが収容されているカバー部材は、前記巻付軸が入り込む凹部を有し、
前記凹部は、前記一方の領域側が開放されていることを特徴とする電動シャッター。
【請求項５】
請求項３または請求項４に記載の電動シャッターであって、
前記カバー部材は、電動シャッターが取り付けられる躯体側にて当該躯体に固定された部位と係合する係合部と、見込み方向において前記躯体と離れる側にて当該躯体に固定された部位に固定される固定部と、を有し、
前記固定部を外して前記躯体と離れる側に引くことにより前記係合部が連動して外れることを特徴とする電動シャッター。
【請求項６】
請求項１乃至請求項５のいずれかに記載の電動シャッターであって、
前記シャッターカーテンが巻き付けられた巻付軸と、前記コントローラーとを収容するケーシングと、前記ケーシングを覆い開閉可能な蓋部と、を有し、
前記コントローラーは、前記蓋部の開放方向に取り外されることを特徴とする電動シャッター。
【発明の詳細な説明】
【技術分野】
【０００１】
本発明は、シャッターカーテンが巻き付けられる巻付軸と、巻付軸を駆動するモーターとを有する電動シャッターに関する。
【背景技術】
【０００２】
シャッターカーテンが巻き付けられる巻付軸と、巻付軸を駆動するモーターとを有する電動シャッターは、モーターを制御するためのコントローラーを有しており、シャッターカーテンが収容されるシャッターケース内であって、巻付軸に巻き付けて巻き上げられたシャッターカーテンの外周より外側にコントローラーが配置されている電動シャッターが知られている。
【発明の概要】
【発明が解決しようとする課題】
【０００３】
上記のような電動シャッターは、シャッターケースの限られた空間内の巻き上げられたシャッターカーテンの外周より外側にコントローラーが配置されているので、故障や損傷などによりコントローラーを取り外す場合には、シャッターカーテンを降ろしたり、または、シャッターカーテンごと巻付軸を取り外すなど、作業が繁雑であるという課題がある。
【０００４】
本発明は、かかる課題に鑑みてなされたものであり、その目的とするところは、コントローラーを容易に取り外すことが可能な電動シャッターを提供することにある。
【課題を解決するための手段】
【０００５】
かかる目的を達成するために本発明の電動シャッターは、シャッターカーテンが巻き付けられる巻付軸と、前記巻付軸を駆動するモーターと、前記モーターを制御して前記シャッターカーテンを昇降させるためコントローラーと、を有し、前記コントローラーは、前記巻付軸の軸方向において巻き上げられた前記シャッターカーテンの側方に位置し、前記巻付軸に沿う方向から見たときに、前記巻付軸の外周上の第１点と、前記巻付軸の中心に対して対称の位置にある外周上の第２点における接線にて挟まれた領域が前記第１点と前記第２点とを結ぶ直線にて分割された２つの領域のうちの一方の領域を除く前記巻付軸より外側の領域に配置されていることを特徴とする電動シャッターである。
【０００６】
このような電動シャッターによれば、コントローラーが巻付軸の軸方向において巻き上げられたシャッターカーテンの側方に位置して、巻付軸に沿う方向から見たときに巻付軸より外側の領域に位置するので、シャッターカーテンの側方にて巻き上げられたシャッターカーテンの外周より、直径方向における内側の領域に配置することが可能である。また、コントローラーは、巻付軸の軸方向においてシャッターカーテンが設けられている領域と干渉しない領域に設けられているので、シャッターカーテンの状態に拘わらずコントローラーを取り外すことが可能である。
【０００７】
また、巻付軸に沿う方向から見たときに、コントローラーが、前記巻付軸の外周上の第１点と、前記巻付軸の中心に対して対称の位置にある外周上の第２点における接線にて挟まれた領域が前記第１点と前記第２点とを結ぶ直線にて分割された２つの領域のうちの一方の領域を除く前記巻付軸より外側の領域に配置されているので、一方側の領域にはコントローラーが存在しないため、巻付軸より外側の領域を有効に使用してコントローラーを形成することが可能であり、また、巻付軸より外側の領域を有効に使用したコントローラーを一方の領域側から他方の領域側に向かう方向に移動させることにより、容易に取り外すことが可能である。
【０００８】
かかる電動シャッターであって、前記モーターは、前記巻付軸に収容されており、前記コントローラーは、前記モーターの外周側に配置されていることが望ましい。  
このような電動シャッターによれば、コントローラーとモーターとを近接させて設けることが可能なので、コントローラーとモーターとを繋ぐケーブルを短くすることが可能である。
【０００９】
かかる電動シャッターであって、前記コントローラーは、当該コントローラーと前記シャッターカーテンとを隔離するためのカバー部材に収容されるとともに当該カバー部材に取り付けられていることが望ましい。  
このような電動シャッターによれば、コントローラーは、カバー部材に収容されてシャッターカーテンと隔離されるので、コントローラーを保護することが可能である。また、コントローラーはカバー部材に取り付けられているので、コントローラーを取り外す際にはカバー部材とともに取り外すことが可能であり、コントローラーを取り外す際のコントローラーの損傷を防止することが可能である。
【００１０】
かかる電動シャッターであって、前記コントローラーが収容されているカバー部材は、前記巻付軸が入り込む凹部を有し、前記凹部は、前記一方の領域側が開放されていることが望ましい。  
このような電動シャッターによれば、コントローラーが収容されているカバー部材に設けられた凹部に巻付軸が入り込むように配置することにより、巻付軸の周りの領域を有効に利用してコントローラーが収容されたカバー部材が収容される領域を大きく設けることが可能である。また、コントローラーが収容されたカバー部材を凹部の開放された側とは反対方向に引くことにより、容易にコントローラーを取り外すことが可能である。
【００１１】
かかる電動シャッターであって、前記カバー部材は、電動シャッターが取り付けられる躯体側にて当該躯体に固定された部位と係合する係合部と、見込み方向において前記躯体と離れる側にて当該躯体に固定された部位に固定される固定部と、を有し、前記固定部を外して前記躯体と離れる側に引くことにより前記係合部が連動して外れることが望ましい。  
このような電動シャッターによれば、コントローラーが取り付けられているカバー部材は躯体側と、見込み方向において躯体と離れる側とで固定されているので、コントローラーを安定した状態にて取り付けることが可能である。また、コントローラーが取り付けられているカバー部材は、固定部を外して躯体と離れる側に引くことにより係合部が連動して外れるので、見込み方向において躯体と離れる側からの操作により固定部のみを外すだけで、容易にコントローラーを取り外すことが可能である。尚、躯体側にて当該躯体に固定された部位（カバー部材の係合部が係合する部位）とは、躯体に直接固定された部位に限らず、躯体に直接固定された部材に固定された部材（部位）であっても構わない。
【００１２】
かかる電動シャッターであって、前記シャッターカーテンが巻き付けられた巻付軸と、前記コントローラーとを収容するケーシングと、前記ケーシングを覆い開閉可能な蓋部と、を有し、前記コントローラーは、前記蓋部の開放方向に取り外されることが望ましい。  
このような電動シャッターによれば、ケーシングの蓋部を開いて、ケーシング内に納められたコントローラーを容易に取り出すことが可能である。
【発明の効果】
【００１３】
本発明によれば、コントローラーを容易に取り外すことが可能な電動シャッターを提供することが可能である。
【図面の簡単な説明】
【００１４】
【図１】本実施形態に係る電動シャッターの構成を説明するための分解斜視図である。
【図２】外面板を外した状態の電動シャッターを示す図である。
【図３】電装領域を説明するための図である。
【図４】巻付軸に沿う方向から見たＡ−Ａ断面図である。
【図５】コントローラーカバーに取り付けられたコントローラーを示す図である。
【図６】本体ユニットの取り付け方法を説明するための図である。
【図７】コントローラーカバーの取り外し方法を説明するための図である。
【図８】巻付軸に沿う方向から見たコントローラーの配置を説明するための図である。図８Ａは、一方の領域を除く領域を示す図、図８Ｂは、他方の領域を除く領域を示す図である。
【発明を実施するための形態】
【００１５】
以下、本発明の一実施形態に係る電動シャッターについて図面を参照して説明する。
【００１６】
以下の説明においては電動シャッターを室外側から見たときに上下となる方向を上下方向、左右となる方向を左右方向または見付け方向、奥行き方向を室内外方向または見込み方向として示す。また、見込み方向において躯体と離れる側とは、室内外方向または見込み方向における室外方向側のことである。尚、室内外方向または見込み方向における室外方向側のことを単に室外側とし、室内方向側のことを単に室内側とする。
【００１７】
本実施形態に係る電動シャッター１０は、図１に示すように、建物（不図示）に取り付けられる枠体部１４と、枠体部１４の室外側に取り付けられシャッターカーテン１２をガイドするためのガイドレール１９と、枠体部１４の上部に収容される本体ユニット２０と、枠体部１４に収容された本体ユニット２０の枠体部１４より室外側に突出する部位の側部を覆う側部カバー４０及び室外側に臨む部位を覆う蓋部としての外面板３０と、を有している。
【００１８】
枠体部１４は、室内外を連通する開口を囲むように取り付けられる矩形状の内枠部１５と、内枠部１５の外周側に設けられ、内枠部１５より上方に突出して内枠部１５の上枠１５ａとともに、内枠部１５の上に区画された空間を形成する矩形状の外枠部１６とを有している。
【００１９】
外枠部１６の上部に設けられた空間は、本体ユニット２０が収容される収容部１４ａであり、収容部１４ａの建物側（室内側）は閉塞板１４ｂにより閉塞されている。この閉塞板１４ｂには、モーター２４に電源を供給するためのケーブル４５が挿通される挿通孔１４ｃ（図２）が設けられている。ここで、収容部１４ａを形成する内枠部１５の上枠１５ａ、外枠部１６の上部、及び、閉塞板１４ｂがケーシングの一例である。
【００２０】
収容部１４ａには、本体ユニット２０が内枠部１５の縦枠１５ｂに支持されるとともに、当該本体ユニット２０の一部が外枠部１６より室外側に突出する状態で、収容部１４ａに収容されている。
【００２１】
ガイドレール１９は、内枠部１５を構成する左右の縦枠１５ｂの室外側にそれぞれ配置される。各ガイドレール１９は、シャッターカーテン１２の左右端部が収容されて案内される溝部１９ａが上下方向に沿って形成されている。左右のガイドレール１９は、溝部１９ａの開放された側が互いに対向するように取り付けられている。
【００２２】
本体ユニット２０は、図２に示すように、昇降されることにより建物の開口を開閉可能設けられたシャッターカーテン１２と、シャッターカーテン１２を昇降させるための昇降機構２１と、室外側に開放された箱状をなし昇降機構２１をユニット化するためのフレーム２７とを有している。
【００２３】
シャッターカーテン１２は、複数のスラット１２ａが互いに屈曲自在に連結されており、上端側は昇降機構２１が有する巻付軸２２に取り付けられており、巻付軸２２の回動に伴って巻き取られることにより上昇し、繰り出されることにより降下する。
【００２４】
昇降機構２１は、取り付けられたシャッターカーテン１２が巻き付けられる巻付軸２２と、巻付軸２２を回動させるための駆動部としてのモーター２４と、モーター２４を制御するためのコントローラー２５と、を有している。
【００２５】
モーター２４の出力軸と巻付軸２２と固定軸２８とは同心に設けられており、モーター２４は、フレーム２７の見付け方向における右側に固定され、出力軸がフレーム２７の中央側に向けられている。モーター２４の右端側の外周には、右側の側板２７ａと間隔を隔てた位置にアダプタ３３が設けられており、アダプタ３３の内輪がモーター２４の外周に嵌合され、外輪が巻付軸２２の内側に嵌合されている。
【００２６】
本実施形態の電動シャッター１０は、フレーム２７内であって巻付軸２２の右端より右側の領域を電装配置用の領域（以下、電装領域という）としており、この電装領域には、図３、図４に示すように、モーター２４を制御するためのコントローラー２５が配置されている。そして、コントローラー２５を介してモーター２４に電源を供給するための電源のケーブル４５が室内側から電装領域に引き込まれており、また、モーター２４の右端側から引き出されたケーブル２４ａも電装領域に配置されている。
【００２７】
モーター２４から引き出されたケーブル２４ａは、収容部１４ａの室内側における上部の挿通孔１４ｃから引き込まれた電源のケーブル４５とともに、巻付軸２２の下を通して室外側に引き出されている。このため、電源のケーブル４５のコネクタ４５ａとモーター２４のケーブル２４ａのコネクタ２４ｂとが、電装領域において巻付軸２２の室外側に配置されている。
【００２８】
電装領域は、巻付軸２２に巻き付けて巻き上げられたシャッターカーテン１２と隣接するので、シャッターカーテン１２の巻き上げ時にケーブルがシャッターカーテン１２と接触したり、また、濡れたシャッターカーテン１２の水分がケーブル２４ａ、４５側に飛散する虞がある。このため、電源のケーブル４５とモーター２４のケーブル２４ａとを、シャッターカーテン１２が巻き上げられる空間から隔離するためのケーブルカバー４６が設けられている。
【００２９】
ケーブルカバー４６は、巻付軸２２に沿う方向から見たときに、フレーム２７の下板２７ｂ及び閉塞板１４ｂと巻付軸２２との間の空間であって、巻付軸２２の上端とほぼ同じ位置から下方側と、室内外方向において巻付軸２２より室内側の空間部分を覆うように形成され、フレーム２７の右の側板２７ａに固定されている。
【００３０】
コントローラー２５は、図５に示すように、電子部品が基板２５ｂ上に配置された電子回路であり、基板２５ｂからは電源のケーブル４５、モーター２４のケーブル２４ａ、及び、室内側に設けられて電動シャッター１０を操作するためのスイッチ（不図示）と繋がったスイッチのケーブル４９と接続するためのコネクタ２５ａがケーブルを介して設けられている。コントローラー２５はシャッターカーテン１２が巻き上げられる領域と隣接する電装領域に設けられるためコントローラーカバー４７に覆われるとともに、コントローラーカバー４７に固定されている。コントローラーカバー４７は、基板２５ｂの電子部品２５ｃが配置されている表面側に設けられるカバー部材と、裏面側に設けられるカバー部材との間にてコントローラー２５の全体が包まれるような箱状をなしており、２つのカバー部材はビスにて固定されている。また、コントローラー２５の基板２５ｂから引き出された３本のケーブルはコントローラーカバー４７の外側に引き出されており、先端にはそれぞれコネクタ２５ａが設けられている。また、コントローラー２５は、コントローラーカバー４７がフレーム２７の右の側板２７ａに固定されることにより、フレーム２７に固定される。
【００３１】
コントローラー２５が取り付けられるコントローラーカバー４７は、巻付軸２２に沿う方向から見たときに、ケーブルカバー４６にて覆われた領域、及び、室外側にてコネクタ４５ａ、２４ｂが配置された領域をほぼ除く領域を覆うように形成されている。具体的には、ケーブルカバー４６の上端部に僅かに入り込む係合部４７ａを有し、ケーブルカバー４６の上方から室外側に向かって巻付軸２２を囲むように湾曲させて巻付軸２２の中心より僅かに低い位置までの領域をほぼ覆うように形成されている。このとき、コントローラーカバー４７は、室内側に電源ケーブル４５を閉塞板１４ｂに沿って下方に引き回すための領域と、ケーブルカバー４６に入り込んでいる部位をケーブルカバー４６の上方に抜くためにコントローラーカバー４７を回動させることができるように、コントローラーカバー４７とフレーム２７の上板２７ｃとの間の室内側の領域とを覆うことなく、空間が設けられている。
【００３２】
コントローラーカバー４７は、室外側及び上部の縁近傍にてフレーム２７の右の側板２７ａに固定されている。すなわち、コントローラーカバー４７は、室内側（躯体側）にて係合部４７ａがケーブルカバー４６と係合し、室外側にてフレーム２７にビス５０にて固定されている。コントローラーカバー４７がビス止めされている位置は、巻付軸２２に巻き付けられたシャッターカーテン１２の外周より外側に位置している。このため、シャッターカーテン１２の巻付状態に拘わらず、コントローラーカバー４７を着脱することが可能である。
【００３３】
コントローラー２５が取り付けられているコントローラーカバー４７がフレーム２７の右の側板２７ａに固定された状態では、コントローラーカバー４７の下方、すなわち、室外側であって巻付軸２２より下の領域には、コントローラー２５の基板２５ｂから引き出された３つのコネクタ２５ａが配置されている。そして、本体ユニット２０単体の場合には、３つのコネクタ２５ａのうちの２つは電源のケーブル４５及びモーター２４のケーブル２４ａと接続されており、残る１つのコネクタ２５ａは、室内側に設けられたスイッチと繋がったコネクタ４９ａと接続されるべく、本体ユニット２０の状態では外されている。
【００３４】
そして、３種類のコネクタ２５ａが配置されている領域、すなわち、ケーブルカバー４６より室内側でありコントローラーカバー４７より下方の領域には、コネクタ２４ｂ、２５ａ、４５ａ４９ａを保護するためのコネクタカバー４８がケーブルカバー４６とコントローラーカバー４７との間を繋ぐように設けられている。コネクタカバー４８は、室外側及び下部の縁近傍にて固定部４８ｃがフレーム２７の右の側板２７ａにビス５０にて固定されている。コネクタカバー４８がビス止めされている位置は、巻付軸２２に巻き付けられたシャッターカーテン１２の外周より外側に位置している。このため、シャッターカーテン１２の巻付状態にかかわらず、コネクタカバー４８を着脱することが可能である。
【００３５】
ケーブルカバー４６、コントローラーカバー４７、及び、コネクタカバー４８は、いずれも樹脂製の成形部品である。そして、ケーブルカバー４６、コントローラーカバー４７、及び、コネクタカバー４８がフレーム２７の右の側板２７ａに固定されると、ケーブルカバー４６、コントローラーカバー４７、及び、コネクタカバー４８の左側の面は、巻付軸２２で巻き上げられたシャッターカーテン１２の側方に位置し、３つのカバー４６、４７、４８の左側の面が平坦となり、昇降されるシャッターカーテン１２のガイドとしても機能している。
【００３６】
本体ユニット２０は、躯体に取り付けられた枠体部１４にガイドレール１９が取り付けられ、外面板３０が取り付けられる前に枠体部１４の収容部１４ａに収容されて固定される。
【００３７】
具体的には、収容部１４ａに収容されて内枠部１５に固定された本体ユニット２０は、図６に示すように、コネクタカバー４８が取り外される。そして、電装領域の下方から予め引き出されているスイッチと繋がったケーブル４９のコネクタ４９ａとコントローラー２５のコネクタ２５ａとを接続する。その後、コネクタカバー４８を取り付けて本体ユニット２０の取り付けが完了する。
【００３８】
最後に、側部カバー４０をフレーム２７に取り付けるとともに、外面板３０の上端部を、外枠部１６を構成する上板１６ａの室外側の部位と係合させ、下端部をフレーム２７の左右の側板２７ａ、２７ｂに下方からビス止めする。
【００３９】
また、メンテナンス等により、コントローラー２５を取り外す場合には、まず、室外側から外面板３０を固定しているビス５０を外して外面板３０を取り外す。
【００４０】
次に、図７に示すように、コネクタカバー４８を固定しているビス５０を外してコネクタカバー４８を取り外す。このとき、コントローラー２５のコネクタ２５ａと繋がった３つのコネクタ２４ｂ、４５ａ、４９ａが露出されるので、これらのコネクタ２４ｂ、２５ａ、４５ａ、４９ａを外す。
【００４１】
その後、コントローラーカバー４７を固定しているビス５０を外した後に、コントローラーカバー４７を巻付軸２２周りに僅かに回動させる。このとき、室外側の部位を僅かに下方に移させることにより、室内側にてケーブルカバー４６と係合している係合部４７ａをケーブルカバー４６より上方に引き上げる。
【００４２】
その後、外面板３０が取り外されて開放されている側にコントローラーカバー４７を引き出して、コントローラー２５をコントローラーカバー４７ごと取り外す。
【００４３】
そして、再びコントローラー２５を取り付ける場合には、コントローラー２５を取り付けたコントローラーカバー４７を、巻付軸２２の上部に挿入し、コントローラーカバー４７がモーター２４に突き当たったところで、コントローラーカバー４７の室外側を僅かに上方に回動させて、先端側の係合部４７ａをケーブルカバー４６に係合させて室外側にてビス止めする。
【００４４】
その後、３つのコネクタ２４ｂ、２５ａ、４５ａ、４９ａを接続してコネクタカバー４８をビス止めする。最後に外面板３０の上部を外枠部１６に係合させて下端部を側板２７ａ、２７ｂにビス止めする。
【００４５】
本実施形態の電動シャッター１０によれば、コントローラー２５が巻付軸２２の軸方向において巻き上げられたシャッターカーテン１２の右側方に位置して、巻付軸２２に沿う方向から見たときに巻付軸２２より外側の領域に配置されているので、シャッターカーテン１２の側方において巻き上げられたシャッターカーテン１２の外周より巻付軸２２の直径方向において内側の領域にコントローラー２５を配置することが可能である。また、コントローラー２５は巻付軸２２に沿う方向においてシャッターカーテン１２と干渉しないので、シャッターカーテン１２の巻付軸２２に対する巻き付き状態に拘わらずコントローラーを取り外すことが可能である。
【００４６】
また、コントローラー２５とモーター２４とを近接させて設けられるので、コントローラー２５とモーター２４とを繋ぐケーブル２４ａを短くすることが可能である。
【００４７】
また、コントローラー２５は、コントローラーカバー４７に収容されてシャッターカーテン１２と隔離されるので、コントローラー２５を保護することが可能である。また、コントローラー２５はコントローラーカバー４７に取り付けられているので、コントローラー２５は本体ユニット２０に対しコントローラーカバー４７とともに着脱することが可能であり、コントローラー２５を着脱する際のコントローラー２５の損傷を防止することが可能である。
【００４８】
また、コントローラー２５が取り付けられているコントローラーカバー４７は、電動シャッター１０が取り付けられる躯体側（室内側）にて内枠部１５及びフレーム２７を介して躯体に固定されたケーブルカバー４６と係合する係合部４７ａと、室外側にて内枠部１５を介して躯体に固定されたフレーム２７にビス止めされる固定部４７ｃと、を有しているので、コントローラー２５を安定した状態にて取り付けることが可能である。また、固定部４７ｃを外して室外側に引くことにより係合部４７ａが連動して外れるので、室外側からの操作により固定部４７ｃのみを外すだけで、容易にコントローラー２５をコントローラーカバー４７とともに取り外すことが可能である。
【００４９】
また、シャッターカーテン１２が巻き付けられた巻付軸２２と、コントローラー２５とを収容部１４ａにて収容し、収容部１４ａを開閉可能な外面板３０にて覆う構成としたので、外面板３０が開かれて開放された方向にコントローラー２５が取り付けられたコントローラーカバー４７を移動させることにより容易にコントローラー２５を取り外すことが可能である。
【００５０】
上記実施形態においては、コントローラー２５を、フレーム２７内であってモーター２４に設けられたアダプタ３３より右側の領域という狭い領域であって、中央に巻付軸２２が位置する限られた領域に配置している。このため、基板の面積を広くすべく、コントローラー２５が取り付けられたコントローラーカバー４７の形状を、図５に示すように、巻付軸２２の外周の、巻付軸２２の上側であって室内側の領域から、巻付軸２２の室外側の領域であって巻付軸２２の中心より下の領域まで湾曲させて巻付軸２２が入り込む凹部４７ｂを形成しているが、凹部４７ｂを備えたコントローラーカバー４７の形状はこれに限るものではない。
【００５１】
コントローラー２５が取り付けられたコントローラーカバー４７の形状は、例えば、図８に示すように、巻付軸２２に沿う方向から見たときに、巻付軸２２の外周上の第１点Ｘと、巻付軸２２の中心Ｏに対して第１点Ｘと対称の位置にある外周上の第２点Ｙにおける接線Ｌ１、Ｌ２にて挟まれた領域が第１点Ｘと前記第２点Ｙとを結ぶ直線Ｌ３にて分割された２つの領域Ｓ１、Ｓ２のうちの一方の領域（例えばＳ１）を除く領域Ｓ３（図８Ａ）、または、他方の領域Ｓ２を除く領域Ｓ４（図８Ｂ）に配置されていれば構わない。
【００５２】
コントローラーカバー４７を上記のように配置することにより、巻付軸２２に沿う方向から見たときに、コントローラーカバー４７が、巻付軸２２より外側の領域であって、巻付軸２２の外周上の第１点Ｘ及び第１点Ｘに対し巻付軸２２の中心Ｏに対して対称の位置にある外周上の第２点Ｙを結ぶ直線Ｌ３に対して他方の領域Ｓ２に設けられている場合には、一方側の領域Ｓ１には第１点Ｘと第２点Ｙを通る接線Ｌ１、Ｌ２にて挟まれた領域にコントローラーカバー４７が存在しないので、巻付軸２２より外側の領域を有効に使用してコントローラー２５を形成することが可能であり、また、巻付軸２２より外側の領域を有効に使用したコントローラー２５が取り付けられたコントローラーカバー４７を一方の領域Ｓ１側から他方の領域Ｓ２側に向かう方向に移動させることにより、容易に取り外すことが可能である（図８Ａ）。
【００５３】
また、巻付軸２２に沿う方向から見たときに、コントローラーカバー４７が、巻付軸２２より外側の領域であって、巻付軸２２の外周上の第１点Ｘ及び第１点Ｘに対し巻付軸２２の中心に対して対称の位置にある外周上の第２点Ｙを結ぶ直線Ｌ３に対して一方の領域Ｓ１側に設けられている場合には、他方の領域Ｓ２側には第１点Ｘと第２点Ｙを通る接線Ｌ１、Ｌ２にて挟まれた領域にコントローラーカバー４７が存在しないので、巻付軸２２より外側の領域を有効に使用してコントローラー２５を形成することが可能であり、また、巻付軸２２より外側の領域を有効に使用したコントローラー２５が取り付けられたコントローラーカバー４７を一方の領域Ｓ２側から他方の領域Ｓ１側に向かう方向に移動させることにより、容易に取り外すことが可能である（図８Ｂ）。
【００５４】
このように、一方の領域Ｓ１と他方の領域Ｓ２とが並ぶ方向は、いずれの方向でも構わず、外面板３０が開かれて収容部１４ａが開放された方向にコントローラーカバー４７を移動できる構成であれば構わない。
【００５５】
また、言い換えると、コントローラー２５が取り付けられたコントローラーカバー４７は、基板２５ｂと交差する方向に配置された巻付軸２２を収容する凹部４７ｂが形成されて、ほぼＪ字状又はほぼＵ字状をなしており、巻付軸２２に対してコントローラーカバー４７をＪ字状又はＵ字の開放側にて外嵌可能且つ見込み方向に取り外し可能であれば構わない。
【００５６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５７】
１０  電動シャッター、１２  シャッターカーテン、１４  枠体部、
１４ａ  収容部、１４ｂ  閉塞板、１５  内枠部、１５ａ  上枠、
１６  外枠部、１６ａ  上板、２０  本体ユニット、２１  昇降機構、
２２  巻付軸、２４  モーター、２５  コントローラー、３０  外面板、
４６  ケーブルカバー、４７  コントローラーカバー、
４７ａ  係合部、４７ｂ  凹部、４７ｃ  固定部、
４８  コネクタカバー、Ｌ１  第１点を通る接線、
Ｌ２  第２点を通る接線、Ｌ３  第１点と第２点とを結ぶ直線、
Ｏ  中心、Ｓ１  一方の領域、Ｓ２  他方の領域、
Ｓ３  一方の領域を除く領域、Ｓ４  他方の領域を除く領域、
Ｘ  第１点、Ｙ  第２点
【図１】
2010196358.tif 000003
【図２】
2010196358.tif 000004
【図３】
2010196358.tif 000005
【図４】
2010196358.tif 000006
【図５】
2010196358.tif 000007
【図６】
2010196358.tif 000008
【図７】
2010196358.tif 000009
【図８】
2010196358.tif 000010